(57)【要約】【課題】回転軌道を移動するコネクタを相手側コネクタに接続することができるコネクタ装置を提供する。【解決手段】  外部に設けられた回転軸を中心とした回転軌道を移動して相手側コネクタ２に接続されるコネクタ３を備えたコネクタ装置１であって、相手側コネクタ２は、相手側ハウジング２０に支持された相手側端子と、相手側ハウジング２０に設けられた相手側接続誘導部２２と、を含み、コネクタ３は、回転軸を中心に回転する回転体４に、回転軌道と平行な回転平面上で移動可能に接続されたハウジング３０と、ハウジング３０に支持された端子と、ハウジング３０に設けられ、端子が相手側端子に接触する前に、相手側接続誘導部２２に接触してハウジング３０を回転平面上で移動させながら相手側ハウジング２０と平行な姿勢に誘導する接続誘導部３２と、を含む。【選択図】図９Ａ
2020161266.tif 000002
【特許請求の範囲】
【請求項１】
外部に設けられた回転軸を中心とした回転軌道を移動して相手側コネクタに接続されるコネクタを備えたコネクタ装置であって、
前記相手側コネクタは、
相手側ハウジングと、
前記相手側ハウジングに支持された相手側端子と、
前記相手側ハウジングに設けられた相手側接続誘導部と、を含み、
前記コネクタは、
前記回転軸を中心に回転する回転体に、前記回転軌道と平行な回転平面上で移動可能に接続されたハウジングと、
前記ハウジングに支持された端子と、
前記ハウジングに設けられ、前記端子が前記相手側端子に接触する前に、前記相手側接続誘導部に接触して前記ハウジングを前記回転平面上で移動させながら前記相手側ハウジングと平行な姿勢に誘導する接続誘導部と、を含むことを特徴とするコネクタ装置。
【請求項２】
前記ハウジングと前記回転体の何れか一方には、前記ハウジングと前記回転体の何れか他方が前記回転平面上で移動する状態で嵌り込む遊嵌凹部が凹設され、
前記ハウジングと前記回転体の何れか一方には、前記ハウジングと前記回転体の何れか他方に突設された係合凸部が前記回転平面上で移動する状態で係合する係合枠部が設けられ、
前記ハウジングと前記回転体の何れか他方が前記遊嵌凹部の内面に接触することで、前記ハウジングは、前記回転軌道の径方向および前記相手側コネクタに接近する前記回転軌道上の接線方向一方への移動を規制され、
前記係合凸部が前記係合枠部に接触することで、前記ハウジングは、前記相手側コネクタから離間する接線方向他方への移動を規制されることを特徴とする請求項１に記載のコネクタ装置。
【請求項３】
前記ハウジングと前記回転体の何れか一方には、前記ハウジングと前記回転体の何れか他方の径方向外側に接触し、前記回転体に対し前記ハウジングの径方向外側が接線方向他方に向かうような前記ハウジングの回転を規制する回転止め部が形成されたことを特徴とする請求項１または２に記載のコネクタ装置。
【請求項４】
前記相手側接続誘導部と前記接続誘導部の何れか一方は、前記回転軌道の径方向両側にて前記回転軌道上の接線方向に沿って延設された一対のガイドアームを含み、
前記相手側接続誘導部と前記接続誘導部の何れか他方は、前記一対のガイドアームを挿入させる一対のガイド溝を各々挟んで対向した２組のガイド壁対を含み、
各々の前記ガイドアームの先端部は、径方向両側に一対のアーム側傾斜面を有して徐々に先細くなるように形成され、
各々の前記ガイド壁対の互いに対向する先端部は、一対の溝側傾斜面を有して前記ガイド溝を広げるように形成されたことを特徴とする請求項１ないし３のいずれかに記載のコネクタ装置。
【請求項５】
複数の前記相手側端子が、前記回転軌道の径方向に間隔をあけて並ぶ状態で前記相手側ハウジングに支持され、
複数の前記端子が、径方向に間隔をあけて並ぶ状態で前記ハウジングに支持されたことを特徴とする請求項１ないし４のいずれかに記載のコネクタ装置。
【請求項６】
前記端子は、
ケーブルの端末部に連結された結線支持部と、
前記結線支持部の先端部に連設され、前記結線支持部よりも前記回転平面に直交する幅方向に広い平板状に形成され、前記相手側端子と接触する接触部と、を含むことを特徴とする請求項１ないし５のいずれかに記載のコネクタ装置。
【請求項７】
外部に設けられた回転軸を中心とした回転軌道を移動して相手側コネクタに接続されるコネクタであって、
前記回転軸を中心に回転する回転体に、前記回転軌道と平行な回転平面上で移動可能に接続されたハウジングと、
前記ハウジングに支持された端子と、
前記ハウジングに設けられ、前記端子が前記相手側端子に接触する前に、前記相手側コネクタに接触して前記ハウジングを前記回転平面上で移動させながら前記相手側ハウジングと平行な姿勢に誘導する接続誘導部と、を含むことを特徴とするコネクタ。
【請求項８】
前記ハウジングと前記回転体の何れか一方には、前記ハウジングと前記回転体の何れか他方が前記回転平面上で移動する状態で嵌り込む遊嵌凹部が凹設され、
前記ハウジングと前記回転体の何れか一方には、前記ハウジングと前記回転体の何れか他方に突設された係合凸部が前記回転平面上で移動する状態で係合する係合枠部が設けられ、
前記ハウジングと前記回転体の何れか他方が前記遊嵌凹部の内面に接触することで、前記ハウジングは、前記回転軌道の径方向および前記相手側コネクタに接近する前記回転軌道上の接線方向一方への移動を規制され、
前記係合凸部が前記係合枠部に接触することで、前記ハウジングは、前記相手側コネクタから離間する接線方向他方への移動を規制されることを特徴とする請求項７に記載のコネクタ。
【請求項９】
前記ハウジングと前記回転体の何れか一方には、前記ハウジングと前記回転体の何れか他方の径方向外側に接触し、前記回転体に対し前記ハウジングの径方向外側が接線方向他方に向かうような前記ハウジングの回転を規制する回転止め部が形成されたことを特徴とする請求項７または８に記載のコネクタ。
【発明の詳細な説明】
【技術分野】
【０００１】
本発明は、回転軌道を移動して相手側コネクタに接続されるコネクタを備えたコネクタ装置およびコネクタに関する。
【背景技術】
【０００２】
例えば、特許文献１には、内側ハウジングと、内側ハウジングを取り囲む外側ハウジングと、これらのハウジングを連結した複数の端子と、を有したコネクタ（所謂フローティングコネクタ）が開示されている。コネクタと相手コネクタとは略同一直線上に配置され、コネクタは相手コネクタに対して上方から真っすぐ差し込まれる。この際、コネクタと相手コネクタとの相対位置が僅かにずれていたとしても、複数の端子が弾性変形して内側ハウジングを略水平方向に移動させることで、２つのコネクタの相対位置のずれが吸収される。
【先行技術文献】
【特許文献】
【０００３】
【特許文献１】特開２０１８−１９５５６７号公報
【発明の概要】
【発明が解決しようとする課題】
【０００４】
しかしながら、上記した（フローティング）コネクタでは、略同一直線上に配置された相手コネクタに真っすぐ差し込む場合に互いの相対位置のずれを吸収（補正）することができたが、コネクタと相手コネクタとが略同一直線上にない場合については全く考慮されていなかった。例えば、コネクタが相対的に回転軌道を移動して相手コネクタと接続する場合、コネクタは、垂直方向および回転方向に移動しなければ、相手コネクタとの相対位置のずれを吸収（補正）することができない。上記したコネクタでは内側ハウジングが略水平方向にしか移動しないため、相対的に回転軌道を移動したコネクタと相手コネクタとの相対位置のずれを補正することができなかった。
【０００５】
本発明は、上記した課題を解決するために、回転軌道を移動するコネクタを相手側コネクタに接続することができるコネクタ装置およびコネクタを提供する。
【課題を解決するための手段】
【０００６】
上記課題を解決するために、本発明の第１のコネクタ装置は、外部に設けられた回転軸を中心とした回転軌道を移動して相手側コネクタに接続されるコネクタを備えたコネクタ装置であって、前記相手側コネクタは、相手側ハウジングと、前記相手側ハウジングに支持された相手側端子と、前記相手側ハウジングに設けられた相手側接続誘導部と、を含み、前記コネクタは、前記回転軸を中心に回転する回転体に、前記回転軌道と平行な回転平面上で移動可能に接続されたハウジングと、前記ハウジングに支持された端子と、前記ハウジングに設けられ、前記端子が前記相手側端子に接触する前に、前記相手側接続誘導部に接触して前記ハウジングを前記回転平面上で移動させながら前記相手側ハウジングと平行な姿勢に誘導する接続誘導部と、を含む。
【０００７】
上記課題を解決するために、本発明の第１のコネクタは、外部に設けられた回転軸を中心とした回転軌道を移動して相手側コネクタに接続されるコネクタであって、前記回転軸を中心に回転する回転体に、前記回転軌道と平行な回転平面上で移動可能に接続されたハウジングと、前記ハウジングに支持された端子と、前記ハウジングに設けられ、前記端子が前記相手側端子に接触する前に、前記相手側コネクタに接触して前記ハウジングを前記回転平面上で移動させながら前記相手側ハウジングと平行な姿勢に誘導する接続誘導部と、を含む。
【０００８】
本発明の第１のコネクタ装置（第１のコネクタ）では、ハウジングが回転平面上で移動するように回転体に支持されていた。この構成によれば、コネクタと相手側コネクタとの相対位置のずれを吸収するように、ハウジングの姿勢を変更することができる。また、端子が相手側端子に接触する前に、コネクタの接続誘導部が相手側コネクタの相手側接続誘導部に接触することで、ハウジングを回転平面上で移動させることができる。これにより、ハウジングが相手側ハウジングとの相対位置のずれを補正されながら相手側ハウジングと平行な姿勢になった後、端子を相手側端子に接触させることができる。以上のように、回転軌道を移動するコネクタを相手側コネクタに適切に接続することができる。
【０００９】
本発明の第２のコネクタ装置は、上記した第１のコネクタ装置において、前記ハウジングと前記回転体の何れか一方には、前記ハウジングと前記回転体の何れか他方が前記回転平面上で移動する状態で嵌り込む遊嵌凹部が凹設され、前記ハウジングと前記回転体の何れか一方には、前記ハウジングと前記回転体の何れか他方に突設された係合凸部が前記回転平面上で移動する状態で係合する係合枠部が設けられ、前記ハウジングと前記回転体の何れか他方が前記遊嵌凹部の内面に接触することで、前記ハウジングは、前記回転軌道の径方向および前記相手側コネクタに接近する前記回転軌道上の接線方向一方への移動を規制され、前記係合凸部が前記係合枠部に接触することで、前記ハウジングは、前記相手側コネクタから離間する接線方向他方への移動を規制されることが好ましい。
【００１０】
本発明の第２のコネクタは、上記した第１のコネクタにおいて、前記ハウジングと前記回転体の何れか一方には、前記ハウジングと前記回転体の何れか他方が前記回転平面上で移動する状態で嵌り込む遊嵌凹部が凹設され、前記ハウジングと前記回転体の何れか一方には、前記ハウジングと前記回転体の何れか他方に突設された係合凸部が前記回転平面上で移動する状態で係合する係合枠部が設けられ、前記ハウジングと前記回転体の何れか他方が前記遊嵌凹部の内面に接触することで、前記ハウジングは、前記回転軌道の径方向および前記相手側コネクタに接近する前記回転軌道上の接線方向一方への移動を規制され、前記係合凸部が前記係合枠部に接触することで、前記ハウジングは、前記相手側コネクタから離間する接線方向他方への移動を規制されることが好ましい。
【００１１】
本発明の第２のコネクタ装置（第２のコネクタ）では、ハウジングまたは回転体は回転平面上で移動するように遊嵌凹部に嵌り、係合凸部は回転平面上で移動するように係合枠部に係合する構成とした。また、ハウジングの径方向の移動範囲は、遊嵌凹部（の内面）と係合枠部とによって規定される構成とした。この構成によれば、回転平面上でのハウジングの移動範囲を制限しつつ、ハウジングを回転体に支持させることができる。
【００１２】
本発明の第３のコネクタ装置は、上記した第１または第２のコネクタ装置において、前記ハウジングと前記回転体の何れか一方には、前記ハウジングと前記回転体の何れか他方の径方向外側に接触し、前記回転体に対し前記ハウジングの径方向外側が接線方向他方に向かうような前記ハウジングの回転を規制する回転止め部が形成されたことが好ましい。
【００１３】
本発明の第３のコネクタは、上記した第１または第２のコネクタにおいて、前記ハウジングと前記回転体の何れか一方には、前記ハウジングと前記回転体の何れか他方の径方向外側に接触し、前記回転体に対し前記ハウジングの径方向外側が接線方向他方に向かうような前記ハウジングの回転を規制する回転止め部が形成されたことが好ましい。
【００１４】
ここで、コネクタの径方向外側が相手側コネクタに接近する回転を「正回転」と呼び、コネクタの径方向外側が相手側コネクタから離間する回転を「逆回転」と呼ぶこととする。コネクタを相手側コネクタに接続する場合、ハウジングは、回転体に対し僅かに正回転して相手側ハウジングと略平行な姿勢になることが好ましい。仮に、ハウジングが回転体に対し逆回転して径方向外側が相手側ハウジングから離れた場合、逆回転の角度によっては、コネクタを相手側コネクタに接続することができなくなる。その点、本発明の第３のコネクタ装置（第３のコネクタ）では、ハウジングまたは回転体に形成された回転止め部が、ハウジングの過度な逆回転（ハウジングの径方向外側が接線方向他方に向かうようなハウジングの回転）を規制する構成とした。これにより、２つのコネクタが互いに接続できなくなる程のハウジングの逆回転を防止することができ、２つのコネクタの適正な接続を担保することができる。
【００１５】
本発明の第４のコネクタ装置は、上記した第１ないし第３のいずれかのコネクタ装置において、前記相手側接続誘導部と前記接続誘導部の何れか一方は、前記回転軌道の径方向両側にて前記回転軌道上の接線方向に沿って延設された一対のガイドアームを含み、前記相手側接続誘導部と前記接続誘導部の何れか他方は、前記一対のガイドアームを挿入させる一対のガイド溝を各々挟んで対向した２組のガイド壁対を含み、各々の前記ガイドアームの先端部は、径方向両側に一対のアーム側傾斜面を有して徐々に先細くなるように形成され、各々の前記ガイド壁対の互いに対向する先端部は、一対の溝側傾斜面を有して前記ガイド溝を広げるように形成されたことが好ましい。
【００１６】
本発明の第４のコネクタ装置によれば、コネクタを相手側コネクタに接続する過程において、ガイドアームのアーム側傾斜面をガイド壁対の溝側傾斜面に接触させながら移動させることができる。これにより、ガイドアームを溝側傾斜面に案内させながらガイド溝に挿入することができ、ハウジングを回転平面上で移動させながら相手側ハウジングと平行な姿勢にすることができる。
【００１７】
本発明の第５のコネクタ装置は、上記した第１ないし第４のいずれかのコネクタ装置において、複数の前記相手側端子が、前記回転軌道の径方向に間隔をあけて並ぶ状態で前記相手側ハウジングに支持され、複数の前記端子が、径方向に間隔をあけて並ぶ状態で前記ハウジングに支持されたことが好ましい。
【００１８】
本発明の第５のコネクタ装置によれば、２つのコネクタ（ハウジング）の相対位置のずれを補正した後、複数の端子を複数の相手側端子に接触させることができる。これにより、双方の端子に回転方向の力（捩るような力）を作用させることなく、端子と相手側端子とを適切に接触させることができる。
【００１９】
本発明の第６のコネクタ装置は、上記した第１ないし第５のいずれかのコネクタ装置において、前記端子は、ケーブルの端末部に連結された結線支持部と、前記結線支持部の先端部に連設され、前記結線支持部よりも前記回転平面に直交する幅方向に広い平板状に形成され、前記相手側端子と接触する接触部と、を含むことが好ましい。
【００２０】
本発明の第６のコネクタ装置によれば、端子の接触部が幅方向に広い板状を成しているため、例えば、端子の幅方向中央が相手側端子の幅方向中央から幅方向にずれていたとしても、接触部を相手側端子に接触させることができる。これにより、端子と相手側端子との幅方向の相対位置のずれを吸収することができ、端子と相手側端子との適正な電気的接続を図ることができる。
【発明の効果】
【００２１】
本発明によれば、回転軌道を移動するコネクタを相手側コネクタに接続することができる。
【図面の簡単な説明】
【００２２】
【図１】本発明の一実施形態に係るコネクタ装置であって、コネクタと相手側コネクタとを分離した状態を示す正面図である。
【図２】本発明の一実施形態に係るコネクタ装置であって、コネクタと相手側コネクタとを接続した状態を示す正面図である。
【図３】本発明の一実施形態に係るコネクタ装置の相手側コネクタを示す斜視図である。
【図４】本発明の一実施形態に係るコネクタ装置のコネクタおよび回転体の一部を示す斜視図である。
【図５】本発明の一実施形態に係るコネクタ装置のコネクタを示す斜視図である。
【図６】図１のＶＩ−ＶＩ断面図である。
【図７】図１のＶＩＩ−ＶＩＩ断面図である。
【図８】図２のＶＩＩＩ−ＶＩＩＩ断面図である。
【図９Ａ】本発明の一実施形態に係るコネクタ装置であって、コネクタが相手側コネクタに接続し始めた状態を示す正面図である。
【図９Ｂ】本発明の一実施形態に係るコネクタ装置であって、相手側コネクタに対するコネクタの接続が進んだ状態を示す正面図である。
【図９Ｃ】本発明の一実施形態に係るコネクタ装置であって、コネクタが相手側コネクタに接続した状態を示す正面図である。
【図１０Ａ】本発明の一実施形態に係るコネクタ装置であって、コネクタが相手側コネクタに接続し始めた状態（他の例）を示す正面図である。
【図１０Ｂ】本発明の一実施形態に係るコネクタ装置であって、相手側コネクタに対するコネクタの接続が進んだ状態（他の例）を示す正面図である。
【発明を実施するための形態】
【００２３】
以下、添付の図面を参照しつつ、本発明の実施形態について説明する。なお、各図に示す「Ｘ１」は「左」を示し、「Ｘ２」は「右」を示し、「Ｙ１」は「前」を示し、「Ｙ２」は「後」を示し、「Ｚ１」は「上」を示し、「Ｚ２」は「下」を示している。本明細書では方向や位置を示す用語を用いるが、それらの用語は説明の便宜のために用いるものであって、本発明の技術的範囲を限定するものではない。
【００２４】
［コネクタ装置の概要］
図１ないし図７を参照して、コネクタ装置１について説明する。図１はコネクタ３と相手側コネクタ２とを分離した状態を示す正面図である。図２はコネクタ３と相手側コネクタ２とを接続した状態を示す正面図である。図３は相手側コネクタ２を示す斜視図である。図４はコネクタ３および回転体４の一部を示す斜視図である。図５はコネクタ３を示す斜視図である。図６は、図１のＶＩ−ＶＩ断面図である。図７は、図１のＶＩＩ−ＶＩＩ断面図である。
【００２５】
図１および図２に示すように、コネクタ装置１は、相手側コネクタ２と、コネクタ３と、を備えている。相手側コネクタ２は、基板６に実装されている。コネクタ３は、外部に設けられた回転軸５を中心とした回転軌道Ｔを移動して相手側コネクタ２に接続される。また、コネクタ３は、例えば、ケーブル７（図６参照）を介して外部の装置（図示せず）に電気的に接続されている。なお、本明細書では、コネクタ３が相手側コネクタ２に接続したときの姿勢（図２参照）を基準として説明する。また、上記したコネクタ３の基準姿勢において、左右方向が「回転軌道Ｔの径方向」であり、上下方向が「回転軌道Ｔ上の接線方向」である。
【００２６】
＜回転体（回転軸）＞
回転軸５は、相手側コネクタ２から右方に離れた位置にて前後方向に延設されている。回転軸５とコネクタ３との間には、回転体４が架設されている。回転体４は、回転軸５を中心に回転するように設けられている。回転体４は、回転軸５から左方向に延設された回転アーム１０と、回転アーム１０の先端部に固定された回転支持部１１と、を備えている。
【００２７】
回転支持部１１は、略四角形の板状に形成され、回転アーム１０の先端部から垂れ下がるように設けられている。詳細には、図４に示すように、回転支持部１１は、左角部に略四角形状の切欠き部Ｎを有した多角形状に形成されている。さらに詳細には、回転支持部１１は、回転アーム１０に固定された上側固定部１２と、上側固定部１２の右下部に連設された下側嵌合部１３と、を含んでいる。下側嵌合部１３は、切欠き部Ｎの分だけ上側固定部１２よりも左右方向に幅狭く形成されている。なお、詳細は後述するが、切欠き部Ｎに露出した上側固定部１２の下端面が、回転止め部１４となっている。
【００２８】
上側固定部１２の背面の略左半分は後方に突出しており、上側固定部１２の左半分は右半分よりも前後方向に厚く形成されている。回転支持部１１（上側固定部１２、下側嵌合部１３）の正面には、前方に突出した左右一対の補強リブ１５が上下方向に延びている。下側嵌合部１３の正面には、一対の補強リブ１５の間に係合凸部１６が突設されている。係合凸部１６は略直方体状の突起であり、係合凸部１６の下端面は下方から上方に向かって前方に傾斜している。
【００２９】
［相手側コネクタ］
次に、図１ないし図３を参照して、相手側コネクタ２について説明する。
【００３０】
図１および図２に示すように、相手側コネクタ２は、相手側ハウジング２０と、複数の相手側端子２１と、相手側接続誘導部２２と、を含んでいる。相手側ハウジング２０は、相手側コネクタ２の外装を構成している。複数の相手側端子２１は、左右方向（径方向）に間隔をあけて並ぶ状態で相手側ハウジング２０に支持されている。相手側接続誘導部２２は、相手側ハウジング２０に設けられている。
【００３１】
＜相手側ハウジング＞
図３に示すように、相手側ハウジング２０は、例えば、合成樹脂等の絶縁材料で略直方体状に形成されている。相手側ハウジング２０には、その上面から前面にかけて、コネクタ３のハウジング３０を嵌合させるための相手側嵌合凹部２３が凹設されている。相手側嵌合凹部２３の内側には、コネクタ３のハウジング３０内に嵌合する相手側嵌合凸部２４が突設されている。相手側嵌合凸部２４は、相手側ハウジング２０の相手側後壁２０Ｒと一体に形成されている。相手側嵌合凸部２４には、複数の相手側貫通穴２５が上下方向に貫通している。複数の相手側貫通穴２５は、複数の相手側端子２１を差し込むために形成された穴（スリット）であり、左右方向に略等間隔に形成されている。なお、相手側ハウジング２０には、相手側コネクタ２を基板６に固定するための左右一対の補強金具２９が設けられている。
【００３２】
＜相手側端子＞
各相手側端子２１は、例えば、金属板をプレス加工することで製造される。各相手側端子２１は、相手側ハウジング２０の相手側貫通穴２５に配置されている。各相手側端子２１の下端側は、後方に屈曲して起立姿勢とされた基板６に半田付けされている（図１および図２参照）。図示は省略するが、各相手側端子２１の上端側は、二股に分かれており、後述する端子３１の接触部４１を挟み込む。
【００３３】
＜相手側接続誘導部＞
相手側接続誘導部２２は、相手側ハウジング２０の左右両側に設けられた２組のガイド壁対２６を含んでいる。各ガイド壁対２６は、相手側ハウジング２０の左右両端の外壁を構成する相手側端壁２６Ａと、相手側嵌合凸部２４の左右両端部に立設された相手側内壁２６Ｂとで構成されている。相手側端壁２６Ａの上端面は、相手側後壁２０Ｒの上端面と略同一面を形成している。相手側内壁２６Ｂの上端面は、相手側端壁２６Ａの上端面よりも下方に位置している。各ガイド壁対２６（相手側端壁２６Ａと相手側内壁２６Ｂ）は、ガイド溝２７を挟んで左右方向に対向している。各々のガイド壁対２６（相手側端壁２６Ａと相手側内壁２６Ｂ）の互いに対向する先端部（上端部）は、一対の溝側傾斜面２６Ｓを有してガイド溝２７を広げるように形成されている。つまり、一対の溝側傾斜面２６Ｓは、下方から上方に向かって互いに離間する方向に傾斜している。なお、相手側後壁２０Ｒの上端部にも、下方から上方に向かって後方に傾斜した相手側傾斜面２０Ｓが形成されている。
【００３４】
［コネクタ］
次に、図４ないし図７を参照して、相手側コネクタ２について説明する。
【００３５】
図４および図５に示すように、コネクタ３は、ハウジング３０と、複数の端子３１と、接続誘導部３２と、を含んでいる。ハウジング３０は、コネクタ３の外装を構成している。複数の端子３１は、左右方向（径方向）に間隔をあけて並ぶ状態でハウジング３０に支持されている。接続誘導部３２は、ハウジング３０に設けられている。
【００３６】
＜ハウジング＞
ハウジング３０は、例えば、合成樹脂等の絶縁材料で略直方体状に形成されている。ハウジング３０は、相手側ハウジング２０の相手側嵌合凹部２３に遊び（隙間）をもって嵌るような外寸に形成されている。図５および図６に示すように、ハウジング３０には、その下面から後面にかけて、相手側ハウジング２０の相手側嵌合凸部２４を嵌合させるための嵌合凹部３３が凹設されている。ハウジング３０には、複数の貫通穴３４が上下方向に貫通している。複数の貫通穴３４は、複数の端子３１を差し込むために形成された穴であり、左右方向に略等間隔に形成されている（図４や図７も参照）。嵌合凹部３３の内部に露出したハウジング３０の内背面３０Ｒには、貫通穴３４から連続する薄壁スリット３４Ａが凹設されている（図５参照）。なお、ハウジング３０の背面下部（嵌合凹部３３の上縁部）には、上方から下方に向かって前方に傾斜した後部傾斜面３０Ｓが形成されている。
【００３７】
また、図４、図６および図７に示すように、ハウジング３０には、その前部上面から前面にかけて遊嵌凹部３５が凹設されている。ハウジング３０の前部には、一対の袖壁３６が左右両端部から互いに接近する方向に延設されている。一対の袖壁３６は、遊嵌凹部３５を挟んでハウジング３０の内正面３０Ｆに対向している。一対の袖壁３６の間には、ハウジング３０の底壁３０Ｂから係合枠部３７が立設されている。係合枠部３７は、正面から見て倒立した略Ｕ字状に形成され、遊嵌凹部３５を挟んでハウジング３０の内正面３０Ｆに対向している。係合枠部３７は、底壁３０Ｂとの接続部（根本部）を中心にして前後方向に弾性的に撓むように形成されている。係合枠部３７の上端面はハウジング３０の上端面と略同一面上に形成され、係合枠部３７の後面上端部は上方から下方に向かって後方に傾斜している（図６参照）。また、ハウジング３０の左右両側には、ハウジング３０の底壁３０Ｂから一段上げられた一対の底上げ面部３８が形成されている（図４参照）。一対の底上げ面部３８は、ハウジング３０の内正面３０Ｆと一対の袖壁３６との間を埋めるように設けられている。
【００３８】
遊嵌凹部３５は、ハウジング３０の内正面３０Ｆ、底壁３０Ｂ、一対の袖壁３６、係合枠部３７および一対の底上げ面部３８で囲まれた領域に形成される。遊嵌凹部３５の左右両内面と、下側嵌合部１３の左右両端面との間には、隙間Ｇが形成されている（図７参照）。遊嵌凹部３５は、下側嵌合部１３を左右方向に移動可能とし、且つ前後方向に移動不能とする大きさ（寸法）に形成されている（図７参照）。詳細は後述するが、遊嵌凹部３５には、回転体４の下側嵌合部１３が回転軌道Ｔと平行な回転平面上（左右方向および上下方向の二次元平面上（垂直平面上））で移動する状態で嵌り込む。
【００３９】
＜端子＞
各端子３１は、例えば、金属板をプレス加工することで製造される。図５ないし図７に示すように、各端子３１は、ハウジング３０の貫通穴３４に配置されている。各端子３１は、ケーブル７の端末部に連結された結線支持部４０と、結線支持部４０の先端部に連設された接触部４１と、を含んでいる。なお、ケーブルは、導電材料から成る芯線（図示せず）を絶縁材料から成る外部被覆（図示せず）で被覆したものである。
【００４０】
結線支持部４０は、ケーブル７の芯線や外部被覆をかしめるための複数のバレル（図示せず）を有している。接触部４１は、上下方向（接線方向）に沿って延びた折返部４２を軸として折り重ねられた金属板で構成されている。また、接触部４１は、実質的に平板状の形状であって、結線支持部４０よりも前後方向（回転平面に直交する幅方向）に広い二重平板状に形成されている。また、接触部４１は、相手側コネクタ２の相手側端子２１よりも前後方向に幅広く形成されている。接触部４１の二重平板の一方は、他方よりも前後方向に幅広く形成されている。また、接触部４１には、ハウジング３０に設けられたランス３９が係合する開口部４３が開口している（図６参照）。
【００４１】
なお、接触部４１の二重平板の一方が他方よりも幅広く形成されていたが、これに限らず、例えば、二重平板の両方が同一幅に形成されてもよいし、二重平板の他方が一方よりも幅広く形成されてもよい（いずれも図示せず）。また、接触部４１の折返部４２が上下方向に延びていたが、これに限らず、折返部４２は、前後方向に延びていてもよい（図示せず）。
【００４２】
＜接続誘導部＞
図５および図６に示すように、接続誘導部３２は、ハウジング３０の左右両側に設けられた一対のガイドアーム５０を含んでいる。一対のガイドアーム５０は、ハウジング３０の上部から下方に向かって（接線方向に沿って）延設されている。換言すれば、一対のガイドアーム５０は、嵌合凹部３３を区画する左右両端の外壁を構成している。各々のガイドアーム５０の先端部（下端部）は、左右方向（径方向）両側に一対のアーム側傾斜面５０Ｓを有して徐々に先細くなるように形成されている。一対のガイドアーム５０は、上記した相手側接続誘導部２２の一対のガイド溝２７に遊び（隙間）をもって嵌るような外寸に形成されている。
【００４３】
［端子の装着］
次に、各端子３１をハウジング３０に装着する工程について説明する。作業者は、ケーブル７を結線支持部４０に連結し、接触部４１を下に向けた端子３１をハウジング３０の上方から貫通穴３４に差し込む。端子３１の結線支持部４０および接触部４１の基端部（上部）は、貫通穴３４の内周面に接触し、周方向（水平面内）の移動を規制されると共に差し込み方向（下方）への移動を規制される（図５ないし図７参照）。また、ハウジング３０のランス３９は、接触部４１の開口部４３に係合して端子３１の引き抜き（上方への移動）を規制する（図６参照）。この状態で、接触部４１の基端部を除く大部分は、貫通穴３４を貫通して嵌合凹部３３に突き出している（図５および図６参照）。また、接触部４１の二重平板の一方は、ハウジング３０の内背面３０Ｒに延びた薄壁スリット３４Ａに嵌り込んでいる（図５参照）。
【００４４】
以上のように、端子３１は、貫通穴３４に差し込まれた状態で全方向に移動規制され、確りとハウジング３０に固定されている。また、端子３１が貫通穴３４に差し込まれた状態で、接触部４１の大部分は嵌合凹部３３に露出し、結線支持部４０は貫通穴３４に埋没している（図６参照）。
【００４５】
［ハウジングと回転体との接続］
次に、ハウジング３０と回転体４とを接続する工程について説明する。図４に示すように、作業者は、相対的に、回転体４の下側嵌合部１３を上方からハウジング３０の遊嵌凹部３５に差し込む。この際、係合凸部１６の下端面（傾斜面）は、係合枠部３７の上端部（傾斜面）に接触し、係合枠部３７を前方に弾性変形させながら差し込まれる（図６参照）。また、回転体４の一対の補強リブ１５は、一対の袖壁３６と係合枠部３７との間に差し込まれる（図７参照）。係合凸部１６が係合枠部３７の上部を乗り越えて係合枠部３７で囲まれた領域に入ると、係合枠部３７は自身の弾性力によって元に戻る（図６参照）。下側嵌合部１３の先端面（下面）は一対の底上げ面部３８に当接することで、遊嵌凹部３５への下側嵌合部１３の差し込みが規制される。なお、切欠き部Ｎに露出した上側固定部１２の下端面（回転止め部１４）は、ハウジング３０の左上端面に接触、または僅かに隙間を挟んで対向している。
【００４６】
以上によって、ハウジング３０の遊嵌凹部３５には、回転体４（回転支持部１１の下側嵌合部１３）が、回転軌道Ｔと平行な回転平面上（垂直面上）で移動する状態で嵌り込む（図６および図７参照）。図７に示すように、下側嵌合部１３の左右両端面と遊嵌凹部３５の左右両内面との間には隙間Ｇが形成されるため、ハウジング３０は、左右一対の隙間Ｇの範囲で左右方向（径方向）に移動することができる。そして、下側嵌合部１３（回転体４）が遊嵌凹部３５の左右両内面の何れか一方に接触することで、ハウジング３０は、左右方向（径方向）への移動が規制される。また、下側嵌合部１３が遊嵌凹部３５を構成する底上げ面部３８（内面）に接触することで、ハウジング３０は、下方（相手側コネクタ２に接近する回転軌道Ｔ上の接線方向一方）への移動を規制される（図６参照）。なお、下側嵌合部１３は前後方向に略隙間なく遊嵌凹部３５に嵌合するため、ハウジング３０は回転体４に対して前後方向には略固定されている（図６および図７参照）。
【００４７】
また、この状態で、係合凸部１６は、回転平面上で移動する状態で係合枠部３７に係合する。詳細には、図６および図７に示すように、下側嵌合部１３の先端面が底上げ面部３８に当接（または近接）した状態で、係合凸部１６は、底壁３０Ｂや係合枠部３７に接触することなく、係合枠部３７に囲まれた領域内に配置されている。そして、係合凸部１６が係合枠部３７の上部に接触することで、ハウジング３０は、上方（相手側コネクタ２から離間する接線方向他方）への移動を規制される。
【００４８】
以上のように、ハウジング３０は、回転体４に対し回転平面上で移動可能に接続されている。なお、本実施形態では、ハウジング３０が最も左方または右方に移動した状態で、係合凸部１６が底壁３０Ｂや係合枠部３７の左右両側に接触しないように設計されている。また、ハウジング３０が最も左方または右方に移動した状態で、一対の補強リブ１５が一対の袖壁３６や係合枠部３７に接触しないように設計されている。
【００４９】
［コネクタと相手側コネクタとの接続］
次に、図１、図２、図８、図９Ａ〜図９Ｃ、図１０Ａ〜図１０Ｂを参照して、コネクタ３を相手側コネクタ２に接続する際の作用について説明する。図８は、図２のＶＩＩＩ−ＶＩＩＩ断面図である。図９Ａはコネクタ３が相手側コネクタ２に接続し始めた状態を示す正面図である。図９Ｂは相手側コネクタ２に対するコネクタ３の接続が進んだ状態を示す正面図である。図９Ｃはコネクタ３が相手側コネクタ２に接続した状態を示す正面図である。図１０Ａはコネクタ３が相手側コネクタ２に接続し始めた状態（他の例）を示す正面図である。図１０Ｂは相手側コネクタ２に対するコネクタ３の接続が進んだ状態（他の例）を示す正面図である。
【００５０】
なお、図８では端子３１の図示を省略している。また、図９Ａ〜図９Ｃ、図１０Ａ〜図１０Ｂはコネクタ装置１を簡易化して示した図であり、他の図のコネクタ装置１とは細部が異なっている。また、以下の説明では、初期状態において、コネクタ３は相手側コネクタ２から分離された状態であることとする（図１参照）。また、図１、図２、図９Ａ〜図９Ｃ、図１０Ａ〜図１０Ｂにおいて、コネクタ３の左側（径方向外側）が相手側コネクタ２に接近する反時計回りの回転を「正回転（正方向の回転）」と呼び、コネクタ３の左側が相手側コネクタ２から離間する時計回りの回転を「逆回転（逆方向の回転）」と呼ぶこととする。
【００５１】
図１および図２に示すように、コネクタ３は、回転体４の回転軸５を中心とした回転軌道Ｔを移動し、基板６に実装された相手側コネクタ２に嵌合する。詳細には、初期状態にあるコネクタ３は、回転体４と共に回転軸５を中心に正回転し、右斜め上方から相手側コネクタ２の相手側嵌合凹部２３に進入し始める（図８も参照）。
【００５２】
例えば、コネクタ３の左右方向中央と相手側コネクタ２の左右方向中央とが同一の回転軌道Ｔ上にある場合、コネクタ３の一対のガイドアーム５０は、相手側コネクタ２の２組のガイド壁対２６に衝突することなく一対のガイド溝２７に差し込まれる。相手側嵌合凹部２３に対するコネクタ３の嵌合が進むと、相手側コネクタ２の相手側嵌合凸部２４がコネクタ３の嵌合凹部３３に進入し始め、端子３１の接触部４１が二股に分かれた相手側端子２１の間に差し込まれる（接触する）（図示せず）。接触部４１は、二股に分かれた相手側端子２１を広げながら差し込まれ、相手側端子２１に弾性力をもって挟み込まれる。
【００５３】
以上によって、図２および図８に示すように、コネクタ３が相手側コネクタ２に接続された状態になる。
【００５４】
ところで、２つのコネクタ２，３や回転体４には、それぞれ加工時の公差が設定されており、コネクタ装置１を組み立てた際に、これらの公差によって２つのコネクタ２，３の左右方向（径方向）の相対位置がずれることがある。２つのコネクタ２，３が互いに左右方向にずれた状態では、２つのコネクタ２，３を互いに嵌合させることができず、端子３１（接触部４１）を相手側端子２１に接触させることができない。また、コネクタ３を相手側コネクタ２に接続する場合、ハウジング３０は、回転体４に対し僅かに正回転して相手側ハウジング２０と平行な姿勢になることが好ましい。仮に、ハウジング３０が回転体４に対し逆回転して径方向外側が相手側ハウジング２０から離れた場合、逆回転の角度によっては、コネクタ３を相手側コネクタ２に接続することができなくなる。そこで、本実施形態に係るコネクタ装置１では、端子３１が相手側端子２１に接触する前に、接続誘導部３２が、相手側接続誘導部２２に接触してハウジング３０を回転平面上で移動させながら相手側ハウジング２０と平行な姿勢に誘導する。これにより、２つのコネクタ２，３の径方向の相対位置のずれが吸収（補正）され、端子３１と相手側端子２１との適切な接触が可能になる。
【００５５】
＜相対位置のずれ補正の一例＞
例えば、図９Ａに示すように、コネクタ３（ハウジング３０）が、回転体４（回転支持部１１）に対して最も左側（径方向外側）に移動し、且つ回転体４に対して最も逆回転した姿勢（径方向外側から内側に向かって下方に傾斜した姿勢）である場合について考える。なお、回転体４の回転止め部１４は、ハウジング３０の左上面（径方向外側）に接触し、ハウジング３０の逆回転を規制している（回転体４に対しハウジング３０の左側（径方向外側）が上方（接線方向他方）に向かうような回転を規制している）。
【００５６】
コネクタ３が回転軸５周りに正回転して右斜め上方から相手側コネクタ２の相手側嵌合凹部２３に進入し始めると、径方向内側（右側）において、接続誘導部３２のガイドアーム５０が、相手側接続誘導部２２のガイド壁対２６の相手側内壁２６Ｂに接触する。径方向内側のガイドアーム５０の先端部（アーム側傾斜面５０Ｓ）は相手側内壁２６Ｂの溝側傾斜面２６Ｓに沿って移動するため、ハウジング３０は径方向内側に移動すると共に回転体４に対して正方向に回転する。
【００５７】
すると、図９Ｂに示すように、径方向外側（左側）において、ガイドアーム５０が、ガイド壁対２６の相手側端壁２６Ａに接触する。径方向外側のガイドアーム５０のアーム側傾斜面５０Ｓは、相手側端壁２６Ａの溝側傾斜面２６Ｓに接触しながらガイド溝２７に向かって移動する。
【００５８】
図９Ｃに示すように、一対のガイドアーム５０が一対の相手側端壁２６Ａにガイドされながら一対のガイド溝２７に進入することで、ハウジング３０は回転平面上で移動されながら相手側ハウジング２０と平行な姿勢（略水平姿勢）に誘導される。ハウジング３０が相手側ハウジング２０と略平行な姿勢になった後、端子３１（接触部４１）が二股に分かれた相手側端子２１に挟み込まれる。なお、ハウジング３０が相手側ハウジング２０と平行な姿勢になるとは、厳密な意味で平行（水平）になることを意味するのではなく、多少の傾きを許容する意味である。
【００５９】
以上によって、２つのコネクタ２，３が径方向の相対位置のずれを吸収（補正）されながら接続される。
【００６０】
＜相対位置のずれ補正の他の例＞
次に、他の例として、図１０Ａに示すように、コネクタ３（ハウジング３０）が、回転体４（回転支持部１１）に対して最も右側（径方向内側）に移動し、且つ回転体４に対して正回転した姿勢（図１０Ａでは略水平な姿勢（径方向外側から内側に向かって上方に傾斜した姿勢））である場合について考える。なお、回転体４の回転止め部１４は、ハウジング３０の左上面（径方向外側）から離間している。
【００６１】
コネクタ３が回転軸５周りに正回転して右斜め上方から相手側コネクタ２の相手側嵌合凹部２３に進入し始めると、径方向内側（右側）において、接続誘導部３２のガイドアーム５０が、相手側接続誘導部２２のガイド壁対２６の相手側端壁２６Ａに接触する。径方向内側のガイドアーム５０のアーム側傾斜面５０Ｓは相手側端壁２６Ａの溝側傾斜面２６Ｓに沿って移動するため、ハウジング３０は径方向外側に移動すると共に回転体４に対して正方向に回転する。
【００６２】
すると、図１０Ｂに示すように、径方向外側（左側）のガイドアーム５０が、径方向外側の相手側端壁２６Ａに沿ってガイド溝２７に進入する。そして、先に説明した一例と同様に、一対のガイドアーム５０が一対の相手側端壁２６Ａにガイドされながら一対のガイド溝２７に進入することで、ハウジング３０は相手側ハウジング２０と平行な姿勢になる（図９Ｃ参照）。その後、端子３１が相手側端子２１に接触する。
【００６３】
以上によって、先に説明した一例と同様に、２つのコネクタ２，３が径方向の相対位置のずれを補正されながら接続される。
【００６４】
なお、上記した２つの例では、始めに、径方向内側（右側）のガイドアーム５０が径方向内側のガイド壁対２６に接触する場合について説明したが、コネクタ３（ハウジング３０）の姿勢（回転体４に対する位置や角度）によっては、始めに、径方向外側（左側）のガイドアーム５０が径方向外側のガイド壁対２６（相手側端壁２６Ａまたは相手側内壁２６Ｂ）に接触する場合もある（図示せず）。この場合であっても、上記した２つの例と同様の作用によって、２つのコネクタ２，３は、径方向の相対位置のずれを補正されながら接続される。
【００６５】
また、２つのコネクタ２，３が前後方向にずれている場合もある（図示せず）。例えば、コネクタ３の前後方向中央が相手側コネクタ２の前後方向中央よりも後方にずれていた場合、コネクタ３の後部傾斜面３０Ｓが相手側ハウジング２０の相手側傾斜面２０Ｓに接触し（図８参照）、コネクタ３は相手側傾斜面２０Ｓに沿って前方に移動しながら相手側嵌合凹部２３に嵌合する。この場合、ハウジング３０の背面は、相手側ハウジング２０の相手側後壁２０Ｒの内面に略接触する。上記とは逆に、コネクタ３の前後方向中央が相手側コネクタ２の前後方向中央よりも前方にずれていた場合、相手側嵌合凹部２３は前方に開放されているため、コネクタ３は相手側ハウジング２０の相手側後壁２０Ｒに干渉することなく相手側嵌合凹部２３に嵌合する（図８参照）。この場合、ハウジング３０の背面は、相手側後壁２０Ｒの内面から前方に離間する（図８参照）。
【００６６】
以上のように、２つのコネクタ２，３が前後方向にずれていたとしても、ハウジング３０を相手側ハウジング２０に嵌合させることができる。なお、端子３１の接触部４１は、前後方向に幅広いため、２つのコネクタ２，３が前後方向にずれていたとしても、相手側端子２１に接触することができる。
【００６７】
以上説明した本実施形態に係るコネクタ装置１（コネクタ３）では、ハウジング３０が回転平面上で移動するように回転体４に支持されていた。この構成によれば、コネクタ３と相手側コネクタ２との相対位置のずれを吸収するように、ハウジング３０の姿勢を変更することができる。また、端子３１が相手側端子２１に接触する前に、コネクタ３の接続誘導部３２が相手側コネクタ２の相手側接続誘導部２２に接触することで、ハウジング３０を回転平面上で移動させることができる。これにより、ハウジング３０が相手側ハウジング２０との相対位置のずれを補正されながら相手側ハウジング２０と平行な姿勢になった後、端子３１を相手側端子２１に接触させることができる。以上のように、回転軌道Ｔを移動するコネクタ３を相手側コネクタ２に適切に接続することができる。
【００６８】
また、本実施形態に係るコネクタ装置１（コネクタ３）では、回転体４は回転平面上で移動するようにハウジング３０の遊嵌凹部３５に嵌り、回転体４の係合凸部１６は回転平面上で移動するようにハウジング３０の係合枠部３７に係合する構成とした。また、ハウジング３０の左右方向（径方向）の移動範囲は、遊嵌凹部３５（の内面）と係合枠部３７とによって規定される構成とした。この構成によれば、回転平面上でのハウジング３０の移動範囲を制限しつつ、ハウジング３０を回転体に支持させることができる。
【００６９】
また、本実施形態に係るコネクタ装置１（コネクタ３）では、回転体４に形成された回転止め部１４が、ハウジング３０の過度な逆回転を規制する構成とした。これにより、２つのコネクタ２，３が互いに接続できなくなる程のハウジング３０の逆回転を防止することができ、２つのコネクタ２，３の適正な接続を担保することができる。
【００７０】
また、本実施形態に係るコネクタ装置１によれば、コネクタ３を相手側コネクタ２に接続する過程において、ガイドアーム５０のアーム側傾斜面５０Ｓをガイド壁対２６の溝側傾斜面２６Ｓに接触させながら移動させることができる。これにより、ガイドアーム５０を溝側傾斜面２６Ｓに案内させながらガイド溝２７に挿入することができ、ハウジング３０を回転平面上で移動させながら相手側ハウジング２０と平行な姿勢にすることができる。
【００７１】
また、本実施形態に係るコネクタ装置１によれば、２つのコネクタ２，３（ハウジング２０，３０の相対位置のずれを補正した後、複数の端子３１を複数の相手側端子２１に接触させることができる。これにより、双方の端子２１，３１に回転方向の力（捩るような力）を作用させることなく、端子３１と相手側端子２１とを適切に接触させることができる。
【００７２】
また、本実施形態に係るコネクタ装置１によれば、端子３１の接触部４１が幅方向に広い板状を成しているため、例えば、端子３１の幅方向中央が相手側端子２１の幅方向中央から幅方向にずれていたとしても、接触部４１を相手側端子２１に接触させることができる。これにより、端子３１と相手側端子２１との幅方向（前後方向）の相対位置のずれを吸収することができ、端子３１と相手側端子２１との適正な電気的接続を図ることができる。
【００７３】
なお、本実施形態に係るコネクタ装置１では、ハウジング３０に遊嵌凹部３５が凹設され、遊嵌凹部３５に回転体４（回転支持部１１）が遊嵌していたが、本発明はこれに限定されない。回転体４に遊嵌凹部３５が凹設され、遊嵌凹部３５にハウジング３０が遊嵌してもよい（図示せず）。すなわち、ハウジング３０と回転体４の何れか一方に、ハウジング３０と回転体４の何れか他方が回転平面上で移動する状態で嵌り込む遊嵌凹部３５が凹設されていればよい。そして、ハウジング３０と回転体４の何れか他方が遊嵌凹部３５の内面に接触することで、ハウジング３０は、回転軌道Ｔの左右方向（径方向）および下方（相手側コネクタ２に接近する回転軌道Ｔ上の接線方向一方）への移動を規制される構成とすればよい。
【００７４】
また、本実施形態に係るコネクタ装置１では、回転体４（回転支持部１１）に係合凸部１６が突設され、ハウジング３０に係合枠部３７が設けられていたが、本発明はこれに限定されない。回転体４に係合枠部３７が設けられ、ハウジング３０に係合凸部１６が突設されてもよい（図示せず）。すなわち、ハウジング３０と回転体４の何れか一方に、ハウジング３０と回転体４の何れか他方に突設された係合凸部１６が回転平面上で移動する状態で係合する係合枠部３７が設けられていればよい。
【００７５】
また、本実施形態に係るコネクタ装置１では、遊嵌凹部３５がコネクタ３の左右方向（径方向）と下方（接線方向他方）への移動を規制し、係合凸部１６および係合枠部３７がコネクタ３の上方（接線方向一方）への移動を規制していたが、本発明はこれに限定されない。例えば、係合凸部１６が係合枠部３７の上部および左右両側部に接触することで、コネクタ３の左右方向と上方への移動を規制してもよい（図示せず）。他にも、回転体４の一対の補強リブ１５が係合枠部３７や一対の袖壁３６に接触することで、コネクタ３の左右方向への移動を規制してもよい（図示せず）。また、他にも、係合凸部１６や係合枠部３７を省略（削除）し、遊嵌凹部３５と回転体４（下側嵌合部１３）とに、コネクタ３が上方に移動したときに干渉して上方への移動を規制する凹凸形状等を設けてもよい（図示せず）。
【００７６】
また、本実施形態に係るコネクタ装置１では、回転止め部１４が回転体４に形成されていたが、本発明はこれに限定されない。回転止め部１４は、回転体４の径方向外側に接触するようにハウジング３０に形成されてもよい（図示せず）。すなわち、ハウジング３０と回転体４の何れか一方に、ハウジング３０と回転体４の何れか他方の径方向外側に接触し、ハウジング３０の逆回転を規制する回転止め部１４が形成されていればよい。
【００７７】
また、本実施形態に係るコネクタ装置１では、相手側接続誘導部２２が２組のガイド壁対２６（ガイド溝２７）を有し、接続誘導部３２が一対のガイドアーム５０を有していたが、本発明はこれに限定されない。接続誘導部３２が２組のガイド壁対２６（ガイド溝２７）を有し、相手側接続誘導部２２が一対のガイドアーム５０を有してもよい。すなわち、相手側接続誘導部２２と接続誘導部３２の何れか一方が、回転軌道Ｔの径方向両側にて回転軌道Ｔ上の接線方向に沿って延設された一対のガイドアーム５０を含み、相手側接続誘導部２２と接続誘導部３２の何れか他方が、一対のガイドアーム５０を挿入させる一対のガイド溝２７を各々挟んで対向した２組のガイド壁対２６を含んでいればよい。
【００７８】
また、本実施形態に係るコネクタ装置１では、相手側端子２１と端子３１とがそれぞれ複数設けられていたが、これに限らず、相手側端子２１と端子３１とは１つ以上設けられていればよい。また、本実施形態では、相手側端子２１の先端側が二股に分かれ、端子３１の接触部４１を挟み込む構造であったが、本発明はこれに限定されない。例えば、相手側端子２１が１枚の板で、端子３１の接触部４１が、相手側端子２１の一方の面に接触し、且つ相手側端子２１を他方に向かって弾性変形させながら接触してもよい（図示せず）。
【００７９】
また、本実施形態では、端子３１や相手側端子２１が金属板をプレス加工することで製造されていたが、これに限らず、金属材料を、鍛造加工、鋳造加工または切削加工することで製造されてもよい。
【００８０】
また、本実施形態では、回転体４の回転軸５が相手側コネクタ２から右方に離れた位置に配置されていたが、これに限らず、相手側コネクタ２から左方に離れた位置に配置されてもよい（図示せず）。
【００８１】
なお、上記実施形態の説明は、本発明に係るコネクタ装置およびコネクタにおける一態様を示すものであって、本発明の技術範囲は、上記実施形態に限定されるものではない。上記実施形態における構成要素は、適宜、既存の構成要素等との置き換えや組み合わせが可能であって、上記実施形態の記載をもって、特許請求の範囲に記載された発明の内容を限定するものではない。
【符号の説明】
【００８２】
１      コネクタ装置
２      相手側コネクタ
３      コネクタ
４      回転体
５      回転軸
７      ケーブル
１４    回転止め部
１６    係合凸部
２０    相手側ハウジング
２１    相手側端子
２２    相手側接続誘導部
２６    ガイド壁対
２６Ｓ  溝側傾斜面
２７    ガイド溝
３０    ハウジング
３１    端子
３２    接続誘導部
３５    遊嵌凹部
３７    係合枠部
４０    結線支持部
４１    接触部
５０    ガイドアーム
５０Ｓ  アーム側傾斜面
Ｔ      回転軌道
【図１】
2020161266.tif 000003
【図２】
2020161266.tif 000004
【図３】
2020161266.tif 000005
【図４】
2020161266.tif 000006
【図５】
2020161266.tif 000007
【図６】
2020161266.tif 000008
【図７】
2020161266.tif 000009
【図８】
2020161266.tif 000010
【図９Ａ】
2020161266.tif 000011
【図９Ｂ】
2020161266.tif 000012
【図９Ｃ】
2020161266.tif 000013
【図１０Ａ】
2020161266.tif 000014
【図１０Ｂ】
2020161266.tif 000015